(57)【特許請求の範囲】
【請求項１】
所定の回動をする回動部を備え、
この回動部には、
前記回動の回動中心となる操作軸と、ミシンの所定の回転軸と連結され前記操作軸の回動により前記回転軸を回動する回転軸操作部と、前記操作軸を手動で回動する把手部とが設けられ、
前記回動部から延出している凸部と、
前記操作軸が所定回動角にあるときに前記凸部が係合する凹部を有し該係合により前記回動部の回動を係止する係止部と、
前記回動部を前記操作軸の軸方向に付勢する弾性部材とを備え、
前記回転軸は針棒又は所定の針棒駆動機構と連結されて該針棒を往復駆動するものであり、
前記弾性部材は前記回転軸操作部と前記回転軸との連結を解除する方向に前記回動部を付勢していて、
前記凹部は前記係合部における前記操作軸の径方向の面上に形成され、
前記弾性部材の付勢力に抗して前記凸部が前記係合部の前記面上に乗り上げているときは前記前記回転軸操作部と前記回転軸とは連結され、
前記凸部が前記凹部に落ち込んで係合しているときは前記回転軸操作部と前記回転軸との連結が解除される、ミシンの回転軸の手動回動装置。
【請求項２】
前記凸部には転がり部材が形成されていて、
この転がり部材は前記係合部材における前記操作軸の径方向の面に当接し、この面上を前記操作軸の周方向に転がるものである、請求項１に記載のミシンの回転軸の手動回動装置。
【請求項３】
請求項１又は請求項２に記載のミシンの回転軸の手動回動装置が２体設けられ、
この２体のミシンの回転軸の手動回動装置の前記各把手部は前記ミシンアームの両側に各々配置されているミシン。
【請求項４】
請求項１又は請求項２に記載のミシンの回転軸の手動回動装置を着脱自在に取付け固定する取付け固定部がミシンアームの両側部に各々設けられ、
前記把手部を前記ミシンアームの両側部の所望の一方に配置できるミシン。
【発明の詳細な説明】
【０００１】
【発明の属する技術分野】
この発明は、ミシンの所定の回転軸を手動回転するための、ミシンの回転軸の手動回動装置及びかかる装置を設けたミシンに関する。
【０００２】
【従来の技術】
実公昭６１−２５４９号公報には、ミシンにおける主軸の手動回転装置について開示されている。
【０００３】
図１１、図１２は、かかる装置の断面図である。
【０００４】
図１１に示すように、ミシンのロングアーム１０１の側壁部に貫設された嵌合部１０２には軸受メタル１０３が嵌合固定され、その軸受メタル１０３には操作軸１０４ががその一端を外方へ突出させた状態にて回転及び軸方向移動可能に支承されている。操作軸１０４の突出端にはハンドル１０５が固定されている。また、操作軸１０４の内端にはベベルギア１０６が固定されている。ミシンの主軸１０７にはベベルギア１０６と対向する別のベベルギア１０８が固定されていて、操作軸１０４の軸方向移動にともないベベルギア１０８に対すすベベルギア１０６の噛み合い、離脱が行われる。
【０００５】
操作軸１０４のハンドル１０５側寄り部分には、ストップリング１０９と、筒状のばね受１１０とが嵌挿され、そのばね受１１０と軸受メタル１０３との間には、操作軸１０４を常に外方へ付勢するためのコイルバネ１１１が介在されている。
【０００６】
操作軸１０４の近傍において、ロングアーム１０５の外側面には段ねじ１１２により係止レバ１１３がその中間部において回動可能に支承され、その一端１１３ａが操作軸１０４に上方から相対すると共に、他端１１３ｂがハンドル１０５とロングアーム１０１との間から前方へ突出して、その他端を操作できる。また、係止レバ１１３は、その係止レバ１１３とロングアーム１０１との間に位置するように段ねじ１１２上に設けられた線ばね１１４により図７の反時計方向に付勢されている。
【０００７】
図１２に示すように、操作軸１０４がコイルバネ１１１のばね力に抗してロングアーム１０１に押し込まれて操作軸１０４上のベベルギア１０６がミシン主軸１０７上のベベルギア１０８に噛合したときは、線ばね１１４のばね力により係止レバ１１３が操作軸１０４の外周面に当接するまで回動されて、コイルばね１１１のばね力により、ストップリング１０９又はばね受け１１０が係止レバ１１３の一端１１３ａに係止され、操作軸１０４がその内方位置で保持される。
【０００８】
【発明が解決しようとする課題】
しかし、上記従来の技術では以下のような問題があった。
【０００９】
すなわち、上記従来の技術では、係止レバ１１３を手動により操作しなければ、手動回転装置と主軸との係合を解除することができず、これを行わずにミシンを起動するとハンドル１０５が高速回転を続けることになり、作業者が操作上注意を払わなければならなかった。
【００１０】
また、先行する出願である特願平６−２２９７９０号（本願の出願時において未出願公開）の明細書及び図面に開示されている技術においては、手元プーリをベベルギアより離した状態、あるいは解放していて待機している状態では、手元プーリが回転してしまうほどではないまでも、たえず振動により異音が発生し、この異音が作業者に不快感を与えていた。これは、手元プーリを待機状態に戻すばねを組み入れる空間に制約があり、適切なばね設計がむずかしいことに起因している。
【００１１】
そこで、この発明の目的は、ミシンが振動を受けるなどしても勝手に回動することなく、さらに、作業者に異音による不快感を与えない、ミシンの回転軸の手動回動装置及びかかる装置を設けたミシンを提供することにある。
【００１２】
また、この発明の別の目的は、上記のミシンの回転軸の手動回動装置及びかかる装置を設けたミシンにおいて、所定のミシンの回転軸の手動による回動をなめらかに行うことができるようにすることにある。
【００１３】
さらに、この発明の別の目的は、上記のミシンの回転軸の手動回動装置を設けたミシンにおいて、操作者が左利きでも右利きでも、所定のミシンの回転軸の手動による回動を容易に行うことができるようにすることにある。
【００１４】
そのうえ、この発明の別の目的は、上記のミシンの回転軸の手動回動装置を設けたミシンにおいて、操作者が左利きでも右利きでも、所定のミシンの回転軸の手動による回動を容易に行うことができ、且つ、経済的であるようにすることにある。
【００１５】
【課題を解決するための手段】
上記の課題を解決するための手段を、後述する発明の実施の形態における対応する部材や符号も付記して説明する。
【００１６】
請求項１に記載の発明は、
所定の回動をする回動部（手元プーリ軸２、手元プーリ４及び手元プーリ歯車６など）を備え、この回動部には、前記回動の回動中心となる操作軸（手元プーリ軸２）と、ミシンの所定の回転軸（上軸１４）と連結され前記操作軸の回動により前記回転軸を回動する回転軸操作部（手元プーリ歯車６）と、前記操作軸を手動で回動する把手部（手元プーリ４）とが設けられ、前記回動部から延出している凸部（手元プーリころ７）と、前記操作軸が所定回動角にあるときに前記凸部が係合する凹部（切欠１２）を有し該係合により前記回動部の回動を係止する係止部（手元プーリメタル３）と、前記回動部を前記操作軸の軸方向に付勢する弾性部材（手元プーリ戻しばね９）とを備え、前記回転軸は針棒又は所定の針棒駆動機構と連結されて該針棒を往復駆動するものであり、前記弾性部材は前記回転軸操作部と前記回転軸との連結を解除する方向に前記回動部を付勢していて、前記凹部は前記係合部における前記操作軸の径方向の面上に形成され、前記弾性部材の付勢力に抗して前記凸部が前記係合部の前記面上に乗り上げているときは前記前記回転軸操作部と前記回転軸とは連結され、前記凸部が前記凹部に落ち込んで係合しているときは前記回転軸操作部と前記回転軸との連結が解除される、ミシンの回転軸の手動回動装置（１）である。
【００１７】
請求項１に記載のミシンの回転軸の手動回動装置によれば、所定の回転軸と回転軸操作部とが連結され、凸部が弾性部材の付勢力に抗して係合部の面上に乗り上げているときにミシンの起動により回転軸が回転しても、この回転に連動して回動部が一回転する間に、弾性部材の付勢により、凸部が凹部に落ち込んで回動部の回動は係止され回転軸と回転軸操作部との連結は解除される。これにより、回転軸の回転により把手部が一回転以上回転することなく即座に回転を停止する。また、回転軸と回転軸操作部との連結が解除された状態では、凸部と凹部の係合により回動部が係止されるので振動により異音が生じることはない。
【００１８】
従って、請求項１に記載のミシンの回転軸の手動回動装置によれば、ミシンが振動を受けるなどしても勝手に回動することなく安全で、さらに、作業者に異音による不快感を与えない、ミシンの回転軸の手動回動装置を提供することができる。
【００１９】
請求項２に記載の発明は、
前記凸部には転がり部材（手元プーリころ７）が形成されていて、この転がり部材は前記係合部材における前記操作軸の径方向の面（１１）に当接し、この面上を前記操作軸の周方向に転がるものである、請求項１に記載のミシンの回転軸の手動回動装置（１）である。
【００２０】
回転軸操作部がミシンの所定の回転軸と連結される場合に、回転軸側から回転軸操作部を介して、操作軸を、その軸方向に押圧する力が働くと、凸部が操作軸の径方向の面に押し付けられた状態で該面上を摺動するすべり摩擦となる。このすべり摩擦が操作軸のトルクとなり、所定のミシンの回転軸の手動による回動をなめらかに行うことができない。
【００２１】
しかし、請求項２に記載のミシンの回転軸の手動回動装置によれば、凸部には転がり部材が形成されていて、この転がり部材が係合部における操作軸の径方向の面に当接し、この面上を操作軸の周方向に転がるものであるから、凸部と係合部間の摩擦をころがり摩擦とできる。
【００２２】
従って、請求項２に記載のミシンの回転軸の手動回動装置によれば、請求項１に記載のミシンの回転軸の手動回動装置について、所定のミシンの回転軸の手動による回動をなめらかに行うことができる。
【００２３】
請求項３に記載の発明は、
請求項１又は請求項２に記載のミシンの回転軸の手動回動装置（１）が２体設けられ、この２体のミシンの回転軸の手動回動装置の前記各把手部は前記ミシンアーム（１３）の両側に各々配置されているミシン（自動縫いミシン１５）である。
【００２４】
請求項３に記載のミシンによれば、ミシンの回転軸の手動回動装置の把手部がミシンアームの両側部に各々設けられているから、ミシンアームの尾端部に操作者が対峙して操作するミシンについて、操作者からみて左右両側に各々把手部が位置することになる。
【００２５】
従って、請求項３に記載のミシンによれば、請求項１又は請求項２に記載の発明と同様の作用、効果を奏するほか、操作者が左利きでも右利きでも、所定のミシンの回転軸の手動による回動を容易に行うことができるミシンを提供することができる。
【００２６】
請求項４に記載の発明は、
請求項１又は請求項２に記載のミシンの回転軸の手動回動装置（１）を着脱自在に取付け固定する取付け固定部（例えば、ミシンアーム１３の側部に設けた孔に雌ねじを形成し、手元プーリメタル３の周面に雄ねじを形成するなど）がミシンアームの両側部に各々設けられ、前記把手部を前記ミシンアームの両側部の所望の一方に配置できるミシン（自動縫いミシン１７）である。
【００２７】
請求項４に記載のミシンによれば、ミシンアームの両側部に各々取付け固定部が設けられ、所望の固定部にミシンの回転軸の手動回動装置を着脱自在に取付け固定することができ、これにより、把手部をミシンアームの両側部の所望の一方に配置し、把手部をミシンアームの両側部の所望の一方に配置できる。これにより、ミシンアームの尾端部に操作者が対峙して操作するミシンについて、ミシンの回転軸の手動回動装置の取付け位置を変えることで、操作者からみて左右両側に各々把手部を位置させることができ、しかも、請求項３に記載の発明のように、ミシンの回転軸の手動回動装置を２体必要としない。
【００２８】
従って、請求項４に記載のミシンによれば、請求項１又は請求項２に記載の発明と同様の作用、効果を奏するほか、操作者が左利きでも右利きでも、所定のミシンの回転軸の手動による回動を容易に行うことができ、且つ、製造コストを抑えることができるミシンを提供することができる。
【００２９】
【発明の実施の形態】
〔発明の実施の形態１〕
まず、構成について説明する。
【００３０】
図１は、この発明の実施の形態１である、ミシンの回転軸の手動回動装置１の分解斜視図である。
【００３１】
この手動回動装置１は、予め記憶されているＸ−Ｙ座標データに基づいて被縫物に形状縫いを施す自動縫いミシンに搭載され、針棒や天秤に連結されて駆動する上軸を手動で回転するための装置である。
【００３２】
同図に示すように、手元プーリメタル３に回動自在且つ軸方向に摺動自在に挿通されている手元プーリ軸２の一端側には、手元プーリ４が止ねじ５で螺子留め固定されている。また、手元プーリ軸２の他端には、傘歯歯車である手元プーリ歯車６が螺子留め固定されている。これにより、手元プーリ４を持って回動することにより、手元プーリ４、手元プーリ軸２及び手元プーリ歯車６は、手元プーリメタル３に軸支されて回動する。また、手元プーリ４と、手元プーリメタル３との間には、コイルばねである手元プーリ戻しばね９が手元プーリ軸２を挿通した状態で介装されていて、手元プーリ４を手元プーリメタル３から引き離すように、従って、歯車６と１０との噛合を解除するように付勢している。
【００３３】
手元プーリ軸２の軸中央部の軸周には、円筒状の手元プーリころ７がころ軸８により回動自在に留められて延出している。
【００３４】
符号１０は、上軸（図１において図示せず）にねじ留め固定された傘歯歯車である手元プーリ歯車で、前記上軸と操作軸２との軸方向は直交していて、手元プーリ歯車１０は手元プーリ歯車６と噛合う。
【００３５】
図２に示すように、手元プーリメタル３の手元プーリ歯車６の側面１１には、切欠１２が形成されている。この手元プーリメタル３の面１１は、手元プーリ軸２の径方向を面方向としている。コイルばね９の付勢により、手元プーリころ７は面１１に当接し、手元プーリ軸２の回動により面１１上を手元プーリ軸２の周方向に手元プーリころ軸８に軸支されてころがる。
【００３６】
手元プーリころ７は、手元プーリ軸２が所定範囲の回動角にあるときに、切欠１２に落ち込んで係合し、手元プーリ軸２（ひいては、手元プーリ歯車６及び手元プーリ４）の回動は係止される。
【００３７】
次に、作用について説明する。
【００３８】
図３に示すように、上記手動回動装置１は、自動縫いミシンのミシンアーム１３の機枠に手元プーリメタル３を固定して設けられる。符号１４はミシンアーム１３の長手方向を軸方向としてミシンアーム１３内に設けられている前記の上軸である。
【００３９】
図３に示すように手元プーリころ７が切欠１２と係合せず、ばね９の弾性力に抗して面１１上に乗り上げているときは、手元プーリ歯車６と１０が噛合い、手元プーリ４を持って回動することで上軸１４を手動で回動することができる。
【００４０】
これにより、針棒に連動して上下する布押えである中押えを備えている自動縫いミシンについて、中押えの高さを被縫物の厚さに合わせて調節することができる。
【００４１】
また、上軸１４を所定の角度に回動させて行う釜合わせ作業も、手元プーリ４を回動させることにより行える。
【００４２】
さらに、自動縫いミシンの所定の記憶装置に形状縫いのための縫製パターンデータを登録するためには、被縫物をクランプしてＸ−Ｙ方向に移動する布押え外板及び下板との間に、縫製形状を書いた紙などをクランプして、針を近づけながら記憶させる。その場合に針を上下する必要があるが、これも、手元プーリ４を持って回動することで上軸１４を手動で回動することにより行うことができる。
【００４３】
手元プーリ４を持って回動し、ばね９の弾性力で切欠１２に手元プーリころ７が落ち込むと（図４参照）、手元プーリ軸２がミシンアーム１３の外側にスライドし、手元プーリ歯車６と１０との噛合は解除され、ミシンの運転における上軸１４の回転に支障はない。
【００４４】
また、誤って、図３に示す状態でミシンを起動し、上軸１４が高速回転を始めた場合でも、手元プーリ４は手元プーリ戻しばね９の付勢を受けているので、一回転する間に、手元プーリころ７が切欠１２に落ち込んで係止されるので、手元プーリ４の回転は即座に停止される。また、手元プーリころ７が切欠１２に落ち込んで係止され手元プーリ歯車６と１０との噛合が解除されている状態では、手元プーリ４の振動による異音の発生も防止される。
【００４５】
なお、切欠１４から手元プーリころ７を離脱して面１１上に乗り上げさせるには、ばね９の弾性力に抗して手元プーリ４をミシンアーム１３内に押し込んで回動することにより行う。
【００４６】
また、手元プーリころ７は手元プーリメタル３の面１１に当接し、この面１１上を手元プーリ軸２の周方向に転がるものであるから、手元プーリころ７と手元プーリメタル３との間の摩擦を、滑り摩擦ではなく、転がり摩擦とすることができる。
【００４７】
従って、ミシンの回転軸の手動回動装置１によれば、傘歯歯車６と１０とを噛合わせて上軸１４を回動するにあたり、傘歯歯車１０から手元プーリ軸２の軸方向に力を受けても、上軸１４の手動による回動をなめらかに行うことができる。
【００４８】
〔発明の実施の形態２〕
まず、構成について説明する。
【００４９】
図５は、この発明の実施の形態２である自動縫いミシンのミシンアーム部分の縦断面図である。図５以下の図面で、図１〜図４と同一符号の部材は、図１〜図４を参照して説明した前記発明の実施の形態１と同様の部材であり、詳細な説明は省略する。
【００５０】
発明の実施の形態２では、前記ミシンの回転軸の手動回動装置１がミシンアーム１３の両側に各々設けられている。これにより、この２体の手動回動装置１、１の各手元プーリ４、４はミシンアーム１３の両側に各々配置され、どちら手元プーリ４によっても上軸１４を手動で回動することができる。
【００５１】
図６は、この発明の実施の形態２である自動縫いミシンの外観を示す正面図であり、図７は、同平面図である。
【００５２】
次に、作用について説明する。
【００５３】
図６及び図７に示すように、自動縫いミシン１５のミシンアーム１３の両側に各々手元プーリ４が位置している。この自動縫いミシン１５は、ミシンアーム１３の尾端側端面１６に対して操作者が向き合って操作するものである。そのため、操作者からみて左右両側に各々手元プーリ４、４が位置することになる。
【００５４】
従って、自動縫いミシン１５によれば、発明の実施の形態１である手動回動装置１と同様の作用、効果を奏するほか、操作者が左利きでも右利きでも、上軸１３の手動による回動を容易に行うことができる。
【００５５】
〔発明の実施の形態３〕
まず、構成について説明する。
【００５６】
図８は、この発明の実施の形態３である自動縫いミシンのミシンアーム部分の縦断面図である。
【００５７】
この自動縫いミシン１７が、発明の実施の形態２である自動縫いミシン１５と構成上相違する点は、前記ミシンの回転軸の手動回動装置１を１体だけ備え、この手動回動装置１をミシンアーム１３の両側部のどちらにも着脱自在に取付け固定可能とし、手元プーリ４をミシンアーム１３の両側部の所望の一方に配置できるようにしている点である。
【００５８】
手動回動装置１をミシンアーム１３の両側部のどちらにも着脱自在に取付け固定可能とするには、例えば、ミシンアーム１３の両側に手動回動装置１を差入れる孔を形成し、この孔に雌ねじを、手元プーリメタル３の周面に雄ねじを形成するなど、従来周知の種々の簡易な手段を用いることができる。
【００５９】
次に、作用について説明する。
【００６０】
この自動縫いミシン１７も、ミシンアーム１３の尾端側端面１６に対して操作者が向き合って操作するものである。図９、図１０に示すように、この自動縫いミシン１７によれば、１体の手動回動装置１をミシンアーム１３の左側部と右側部とで取付け位置を交換すれば、前記自動縫いミシン１５と同様、ミシンアーム１３の所望の側部に手元プーリ４を位置させることができる。そのため、操作者からみて左右両側の何れにも手元プーリ４が位置することになる。
【００６１】
従って、自動縫いミシン１７によれば、発明の実施の形態１である手動回動装置１と同様の作用、効果を奏するほか、操作者が左利きでも右利きでも、上軸１３の手動による回動を容易に行うことができる。しかも、１体の手動回動装置１により上記自動縫いミシン１５と同様の効果を奏するから、製造コストを抑えることができる。
【００６２】
なお、付言するまでもなく、上記発明の実施の形態１〜３は、この発明を限定するものではない。例えば、上記発明の実施の形態１〜３では、被縫物をクランプしてＸ−Ｙ方向に送り、予め記憶されているデータに基づいて被縫物に形状縫いを施す自動縫いミシンの例で説明したが、この発明を他の種々のミシンに実施することができる。また、手動回動装置１で手動で回動する所定の回転軸も、上記発明の実施の形態１〜３では上軸１３としているが、他の回転軸あるいは揺動軸などであってもよい。
【００６３】
【発明の効果】
請求項１に記載の発明によれば、ミシンが振動を受けるなどしても勝手に回動することなく、さらに、作業者に異音による不快感を与えない、ミシンの回転軸の手動回動装置及びかかる装置を設けたミシンを提供することができる。
【００６４】
請求項２に記載の発明によれば、請求項１に記載のミシンの回転軸の手動回動装置について、所定のミシンの回転軸の手動による回動をなめらかに行うことができる。
【００６５】
請求項３に記載の発明によれば、請求項１又は請求項２に記載の発明と同様の効果を奏するほか、操作者が左利きでも右利きでも、所定のミシンの回転軸の手動による回動を容易に行うことができるミシンを提供することができる。
【００６６】
請求項４に記載の発明によれば、請求項１又は請求項２に記載の発明と同様の効果を奏するほか、操作者が左利きでも右利きでも、所定のミシンの回転軸の手動による回動を容易に行うことができ、且つ、製造コストを抑えられるミシンを提供することができる。
【図面の簡単な説明】
【図１】この発明の実施の形態１であるミシンの回転軸の手動回動装置の分解斜視図。
【図２】この発明の実施の形態１であるミシンの回転軸の手動回動装置を構成する手元プーリメタルの斜視図。
【図３】この発明の実施の形態１であるミシンの回転軸の手動回動装置を備えた自動縫いミシンのミシンアーム部分の縦断面図。
【図４】この発明の実施の形態１であるミシンの回転軸の手動回動装置を備えた自動縫いミシンのミシンアーム部分の縦断面図。
【図５】この発明の実施の形態２である自動縫いミシンのミシンアーム部分の縦断面図。
【図６】この発明の実施の形態２である自動縫いミシンの正面図。
【図７】この発明の実施の形態２である自動縫いミシンの平面図。
【図８】この発明の実施の形態３である自動縫いミシンのミシンアーム部分の縦断面図。
【図９】この発明の実施の形態３である自動縫いミシンの正面図。
【図１０】この発明の実施の形態３である自動縫いミシンの平面図。
【図１１】従来のミシンの主軸の手動回動装置を示す断面図。
【図１２】従来のミシンの主軸の手動回動装置を示す断面図。
【符号の説明】
１      ミシンの回転軸の手動回動装置
２      手元プーリ軸
３      手元プーリメタル
４      手元プーリ
６      手元プーリ歯車
７      手元プーリころ
１０    手元プーリ歯車
１１    手元プーリメタルにおける手元プーリ軸の径方向の面
１２    切欠
１３    ミシンアーム
１４    上軸
１５    自動縫いミシン
１６    ミシンアームの尾端側の面
１７    自動縫いミシン
【図１】
0003614550.tif 000002
【図２】
0003614550.tif 000003
【図３】
0003614550.tif 000004
【図４】
0003614550.tif 000005
【図５】
0003614550.tif 000006
【図６】
0003614550.tif 000007
【図７】
0003614550.tif 000008
【図８】
0003614550.tif 000009
【図９】
0003614550.tif 000010
【図１０】
0003614550.tif 000011
【図１１】
0003614550.tif 000012
【図１２】
0003614550.tif 000013